(57)【要約】【課題】全面照射ではなく、細長な照射面を与えるように、部分照射が可能とされたＬＥＤ照明灯を提供すること。【解決手段】スタンド４の頂部に傾斜して設置された筐体６内に、ＬＥＤ１０を配設すると共に、かかる筐体６の斜め下向き面に、略半月状の投光口を設けて、スタンド４が立設される設置面に、略弓形をなす投影面が、形成されるようにした。【選択図】図２
2008108527.tif 000002
【特許請求の範囲】
【請求項１】
スタンドの頂部に傾斜して設置された筐体内にＬＥＤを配設すると共に、該筐体の斜め下向き面に、略半月状の投光口を設けて、該ＬＥＤからの光により、前記スタンドが立設される設置面に、略弓形を為す投影面が形成されるようにしたことを特徴とするＬＥＤ照明灯。
【請求項２】
前記スタンドが板状スタンドであり、その横幅方向が前記弓形投影面の直線部分に沿う方向となるように、立設されることを特徴とする請求項１に記載のＬＥＤ照明灯。
【請求項３】
前記ＬＥＤが、前記筐体内に複数個配設されていることを特徴とする請求項１又は請求項２に記載のＬＥＤ照明灯。
【請求項４】
前記複数個のＬＥＤが、直列に電気的に結線されていることを特徴とする請求項３に記載のＬＥＤ照明灯。
【請求項５】
前記投光口に、前記筐体内に配設されたＬＥＤを外部から仕切る透明な汚れ防止部材が設けられて、前記ＬＥＤの汚れが防止されるように構成されていることを特徴とする請求項１乃至請求項４の何れか一つに記載のＬＥＤ照明灯。
【請求項６】
前記筐体が、下底面部より前方に突出する上底面部を有するように構成されていることを特徴とする請求項１乃至請求項５の何れか一つに記載のＬＥＤ照明灯。
【請求項７】
前記筐体の上底面部に、広幅の舌片状の投光口調節部材を設けて、前記略半月状の投光口が形成されていることを特徴とする請求項１乃至請求項６の何れか一つに記載のＬＥＤ照明灯。
【請求項８】
前記筐体が、略方形の上底面部を有していると共に、その前面側端面部位からそれに隣接する二つの側面側端面部位に亘って、前記略半月状の投光口を形成する投光口調節部材が、該上底面部から垂下するように設けられていることを特徴とする請求項１乃至請求項７の何れか一つに記載のＬＥＤ照明灯。
【請求項９】
前記投光口調節部材が、前記ＬＥＤの汚れを防止する透明な汚れ防止部材としての機能をも備えていることを特徴とする請求項７又は請求項８に記載のＬＥＤ照明灯。
【発明の詳細な説明】
【技術分野】
【０００１】
本発明は、ＬＥＤ照明灯に係り、特に、地面や床面等のスタンドの設置面に、細長な光の照射面が形成され得るようにしたＬＥＤ照明灯に関するものである。
【背景技術】
【０００２】
従来から、ＬＥＤ（発光ダイオード）は、白熱電球や蛍光燈等の光源とは異なり、素子寿命が長く、また高いエネルギー効率で、熱放出が少なく、更に光度が高い、調光性に優れている等の特徴を有しているところから、照明装置としての使用が注目され、特に近年においては、白色光源としての白色ＬＥＤが実用化されたことにより、ＬＥＤ照明装置の開発が進んでいる（例えば、特許文献１〜３等参照）。
【０００３】
しかしながら、それら従来のＬＥＤ照明装置においては、何れも、ＬＥＤから全方向に放射される光が、可及的に広い面積において、全面に分散照射されるように構成したものであって、このため、数多くのＬＥＤが必要とされることとなって、コスト的に問題を内在していると共に、光照射によって方向性を示したり、境界を示したりすることの出来るものではなかったのである。例えば、夜間の駐車場において、細長い光の照射によって駐車幅や停止ラインを示したり、道路の路側位置を示したりすることは、容易なことではなかったのである。
【０００４】
【特許文献１】特開２００４−１９９８９６号公報
【特許文献２】実用新案登録第３１１９５７８号公報
【特許文献３】実用新案登録第３１２３７５４号公報
【発明の開示】
【発明が解決しようとする課題】
【０００５】
ここにおいて、本発明は、かかる事情を背景にして為されたものであって、その解決課題とするところは、全面照射ではなく、細長な照射面を与えるように、部分照射が可能とされたＬＥＤ照明灯を提供することにある。
【課題を解決するための手段】
【０００６】
そして、本発明にあっては、かくの如き課題を解決するために、スタンドの頂部に傾斜して設置された筐体内にＬＥＤを配設すると共に、該筐体の斜め下向き面に、略半月状の投光口を設けて、該ＬＥＤからの光により、前記スタンドが立設される設置面に、略弓形をなす投影面が形成されるようにしたことを特徴とするＬＥＤ照明灯を、その要旨とするものである。
【０００７】
なお、そのような本発明に従うＬＥＤ照明灯の望ましい態様の一つによれば、前記スタンドは板状スタンドであり、その横幅方向が前記弓形投影面の直線部分に沿う方向となるように、立設されることとなる。
【０００８】
また、本発明に従うＬＥＤ照明灯にあっては、有利には、前記ＬＥＤは、前記筐体内に複数個配設されており、そして、それら複数個のＬＥＤは、直列に電気的に結線されていることが、望ましいのである。
【０００９】
さらに、本発明にあっては、望ましくは、前記投光口に、前記筐体内に配設されたＬＥＤを外部から仕切る透明な汚れ防止部材が設けられて、かかるＬＥＤの汚れが防止されるように構成されている。
【００１０】
本発明に従うＬＥＤ照明灯の他の望ましい態様の一つによれば、前記筐体は、下底面部より前方に突出する上底面部を有するように構成されている。
【００１１】
また、本発明にあっては、有利には、前記筐体の上底面部に、広幅の舌片状の投光口調節部材を設けて、前記略半月状の投光口が形成されている。
【００１２】
さらに、本発明に従うＬＥＤ照明灯の望ましい態様の他の一つによれば、前記筐体が、略方形の上底面部を有していると共に、その前面側端面部位からそれに隣接する二つの側面側端面部位に亘って、前記略半月状の投光口を形成する投光口調節部材が、該上底面部から垂下するように設けられている構成が、採用されることとなる。
【００１３】
更にまた、本発明にあっては、有利には、前記投光口調節部材が、前記ＬＥＤの汚れを防止する透明な汚れ防止部材としての機能をも備えている構成が、採用されるのである。
【発明の効果】
【００１４】
このように、本発明に従うＬＥＤ照明灯にあっては、スタンドにて支持される筐体の斜め下向き面に設けられた略半月状の投光口を通じて、かかる筐体内に配設されたＬＥＤの光を、下方に投光して、スタンドの立設される地面や床面等の設置面に照射せしめることにより、略弓形を為す投影面が、スタンドの周りの設置面に細長な形態において形成されることとなるのであり、以て、全面照射ではなく、部分的な照射となって、光の延びる細長な方向が、効果的に現出され得ることとなるのである。
【００１５】
従って、そのような細長な光照射部位を一筋の光として利用することにより、それは、境界を示し、また方向を示す手段として、有利に用いられ得るのであり、例えば、屋外における道路の路側位置や駐車場における駐車幅、方向、停止ライン等を示すための部分的な照明や、屋内における廊下等の両側部の位置、その延びる方向等を部分的に示す照明等に、有利に用いられることとなる。
【発明を実施するための最良の形態】
【００１６】
以下、本発明を更に具体的に明らかにするために、本発明の実施形態について、図面を参照しつつ、詳細に説明することとする。
【００１７】
先ず、図１乃至図５には、本発明に従うＬＥＤ照明灯の一実施形態が示されている。そこにおいて、図１は、かかるＬＥＤ照明灯の投光部位の要部斜視説明図であり、図２は、そのような図１に示される形態における部分切欠き説明図である。また、図３は、図１に示されるＬＥＤ照明灯の左側面部分切欠き説明図であり、更に図４及び図５は、それぞれ図３におけるＡ方向視図（一部切欠き）及びＢ方向視図である。
【００１８】
そして、それらの図から明らかなように、地面や床面等の所定の設置面に所定高さにおいて立設される所定幅の板状スタンド４の頂部に、筐体６が、その斜め下向き面を開口させた状態において、一体に設けられている。具体的には、筐体６は、図３から明らかな如く、上底面部となる上壁部６ａと、下底面部となる下壁部６ｂと、左右両側の側壁部６ｃ，６ｃと、奥部を閉塞する奥壁部６ｄとから構成され、その下壁部６ｂの下端が、スタンド４の頂部に一体的に連接されて、斜め上方に延びるように設けられている一方、その斜め下向き面が、下方に向って開口せしめられてなる構造とされている。また、この筐体６の左右の側壁部６ｃ，６ｃの開口部側の端面は、図１，２や図４から明らかなように、光照射側となるスタンド４の前面に面一となるように連接されており、更に上壁部６ａは、図４等から明らかな如く、略Ｄ型形状の平面形態を有すると共に、下壁部６ｂよりも前方に、換言すれば、光照射側となるスタンド４の前面よりも突出した形態において（図１〜図３等参照）、設けられている。
【００１９】
また、かかる筐体６の内部には、Ｖ字型の取付ブラケット８の両側面に、二つのＬＥＤ（有利には、白色ＬＥＤ）１０，１０が、それぞれ取り付けられて、配設されている。なお、それら二つのＬＥＤ１０，１０は、ここでは図示はされていないが、電気的に直列に結線されており、直列形態において給電されるようになっている。
【００２０】
さらに、そのような筐体６の開口部入口には、汚れ防止部材となる透明な保護カバー１２が、内部に配設されたＬＥＤ１０を外部から仕切るように、湾曲して設けられていると共に、略Ｄ型形状の上壁部６ａにおける湾曲端面には、光を透過させ得ない遮光部材１４が、投光口調節部材として、垂下するように湾曲して設けられている。この遮光部材１４は、その湾曲中央部から両端部に向って高さ方向の長さが漸次短くなる、広幅の舌片状の薄板部材にて構成されており、この遮光部材１４の配設によって、筐体６におけるＬＥＤ１０からの光の透過領域が調節されて、ＬＥＤ１０から下方の設置面に向って、湾曲した円弧状部分と直線状の弦部分とからなる略半月状を呈する投光口が形成されることとなり、そしてこの略半月状の投光口を通じて、ＬＥＤ１０からの光が、下方に照射せしめられるようになっているのである。
【００２１】
従って、このような構造のＬＥＤ照明灯２を、図６に示される如く、所定の設置面１６に立設配置すると、その筐体６の斜め下向き面に形成された略半月状の投光口を通じて、筐体６内部に配設されたＬＥＤ１０からの光が、下方に向って照射され、設置面１６においては、スタンド４の横幅方向が弓形の直線部分に沿う方向となる、略弓形をなす細長な投影面１８が、照射面として形成されることとなるのである。そして、これによって、そのような投影面１８を、一筋の光として利用することにより、方向性や境界の存在等を明確に認識せしめ得るのである。
【００２２】
なお、かくの如き構造のＬＥＤ照明灯２にあっては、細長い舌片状の遮光部材１４が投光口調節部材として設けられていることにより、略半月状の投光口が、効果的に形成されることとなるのであり、またスタンド４が板状スタンドとされていることによって、その横幅方向が、弓形投影面１８の直線方向に、有利に一致せしめられ得ることとなる。
【００２３】
また、筐体６の開口部に設けられて、内部のＬＥＤ１０を外部から仕切る透明な保護カバー１２は、ＬＥＤ１０の外気による汚れを効果的に抑制乃至は防止して、ＬＥＤ１０の発光特性を長期に亘って維持する上において有効なものであり、更に、複数のＬＥＤ１０を電気的に直列に結線することによって、それらＬＥＤ１０に対する電源電圧の調節が容易になる等の利点を享受することが出来る。
【００２４】
さらに、例示のＬＥＤ照明灯２においては、筐体６の上壁部６ａが、下壁部６ｂよりも前方に突出せしめられてなる構造とされているが、こうすることによって、ＬＥＤ１０の光を、投光口を通じて設置面１６により効果的に照射（投影）せしめ得ることとなるのであり、加えて、かかる筐体６における上壁部６ａの下端面を、Ｄ形形状の湾曲端面とすることにより、半月状の投光口の形成も容易と為し得る等の利点がある。
【００２５】
ところで、本発明は、また、上記した実施形態の他にも、本発明の趣旨を逸脱しない限りにおいて、各種の態様において実施され得るものであり、その一例が、図７〜図１０に示されている。
【００２６】
すなわち、それらの図において示されるＬＥＤ照明灯２０は、板状のスタンド２２の頂部に、下傾するように一体的に設けられた筐体２４を有しており、この筐体２４の上壁部２４ａが、図７に示される如く、略方形の形状とされていると共に、下壁部２４ｂよりも前方に突出するように設けられて、スタンド２２の光照射側の面よりも突出するように配置されている。また、そのような筐体２４の上壁部２４ａと下壁部２４ｂとを繋ぐ左右両側の側壁部２４ｃ，２４ｃの前方端面は、図７（ｂ）や図１０に示される如く、スタンド２２の前面と略面一となるように、垂直方向に切り欠かれた端面とされて、照射された光が、スタンド２２の横幅方向に延びる投影面の直線部分を効果的に形成し得るようになっている。
【００２７】
そして、図８〜図１０に示されるように、筐体２４の内部には、その奥壁部２４ｄの内面に固定された取付ブラケット２６のＶ字形状の取付部の外面に、二つのＬＥＤ２８，２８が、それぞれ取り付けられて、配置せしめられている一方、それらＬＥＤ２８，２８の取り付けられた取付ブラケット２６を取り囲むように、透明な保護カバー３０が、汚れ防止部材として、上壁部２４ａの内面と下壁部２４ｂの内面とを繋ぐように、設けられている。従って、この保護カバー３０によって、内部のＬＥＤ２８が、外部から仕切られることとなることにより、それらＬＥＤ２８，２８の外気による汚れが防止され得るようになっているのである。また、そのような保護カバー３０の外側に位置するように、円弧状の遮光部材３２が、投光口調節部材として、筐体２４の上壁部２４ａ内面より垂下せる形態において、図８に示される如きＤ形の湾曲形状の形態において設けられており、これによって、筐体２４の斜め下向き面に、略半月状の投光口が形成されるようになっている。
【００２８】
従って、このような構造のＬＥＤ照明灯２０にあっても、前述したＬＥＤ照明灯２と同様に、遮光部材３２によって形成される略半月状の投光口を通じて、ＬＥＤ２８からの光が、スタンド２２の立設される設置面に照射され、これによって、略弓形を為す投影面（１８）が、効果的に形成せしめられ得るのである。
【００２９】
そして、このようなＬＥＤ照明灯２０は、先のＬＥＤ照明灯２と共に、例えば、図１１の如く用いられて、その細長な光照射面（投影面１８）にて、目的とする表示が現出されることとなるのである。なお、図１１（ａ）では、路側や駐車帯の仕切り線や境界を表示するために、ＬＥＤ照明灯２，２０を用いた例を示しており、また図１１（ｂ）においては、屋内における廊下等の壁部を明らかにするために、ＬＥＤ照明灯２，２０が用いられる例を示している。
【００３０】
なお、ここに例示した二つのＬＥＤ照明灯２，２０においては、何れも、汚れ防止部材としての保護カバー１２，３０と、投光口調節部材としての遮光部材１４，３２とが、別部材にて構成されているが、それらを一体の部材にて構成して、一つの部材にて、投光口調節部材と汚れ防止部材の両機能を有するように構成することも、可能である。例えば、投光口調節部材に透明な部材を一体的に接続して、それによって、ＬＥＤ１０，２８が、外部から仕切られるようにすることが可能であり、更に、透明な部材に対して、その遮光部材に相当する領域を遮光性塗料にて塗布することにより、透明部と遮光部を形成したものを用いることも、可能である。
【００３１】
その他、一々列挙はしないが、本発明が、当業者の知識に基づいて、種々なる変更、修正、改良等を加えた態様において実施され得るものであり、また、そのような実施の態様が、本発明の趣旨を逸脱しない限りにおいて、何れも、本発明の範疇に属するものであることは、言うまでもないところである。
【図面の簡単な説明】
【００３２】
【図１】本発明に従うＬＥＤ照明灯の一例を示す要部斜視説明図である。
【図２】図１に示される形態において、その内部の一部を示す切欠き説明図である。
【図３】図１に示されるＬＥＤ照明灯の要部の左側面を一部切り欠いて示す説明図である。
【図４】図３におけるＡ方向から見た一部切欠き説明図である。
【図５】図３におけるＢ方向から見た説明図である。
【図６】図１に示されるＬＥＤ照明灯を用いて照明される一例を示す斜視説明図である。
【図７】本発明に従うＬＥＤ照明灯の他の一例を示すものであって、（ａ）は、その要部正面説明図であり、（ｂ）は、その要部右側面説明図である。
【図８】図７（ｂ）におけるＣ−Ｃ断面説明図である。
【図９】図７（ｂ）におけるＤ方向視図（遮光部材除去）である。
【図１０】図９に示される形態における右側面説明図（遮光部材及び側壁除去）である。
【図１１】本発明に従うＬＥＤ照明灯の使用例を示すものであって、（ａ）は屋外における配設例を示す説明図であり、（ｂ）は屋内の廊下等に配設される例を示す説明図である。
【符号の説明】
【００３３】
２，２０  照明灯                            ４，２２  スタンド
６，２４  筐体                              ６ａ，２４ａ  上壁部
６ｂ，２４ｂ  下壁部                        ６ｃ，２４ｃ  側壁部
６ｄ，２４ｄ  奥壁部                        ８，２６  取付ブラケット
１０，２８  ＬＥＤ                          １２，３０  保護カバー
１４，３２  遮光部材                        １６  設置面
１８  投影面
【図１】
2008108527.tif 000003
【図２】
2008108527.tif 000004
【図３】
2008108527.tif 000005
【図４】
2008108527.tif 000006
【図５】
2008108527.tif 000007
【図６】
2008108527.tif 000008
【図７】
2008108527.tif 000009
【図８】
2008108527.tif 000010
【図９】
2008108527.tif 000011
【図１０】
2008108527.tif 000012
【図１１】
2008108527.tif 000013